(57)【要約】【課題】常時及び緊急時両用飲料水供給システム【解決手段】少なくとも一種の経路より供給された飲料原水を、直接或いは貯留槽を介し単独に飲料水とするか、或いはこれに合水可能な飲用上水を配する系に於いて、原水調達時、原水貯留槽或いは処理水槽の貯留水、或いはこれらより派生する水域水に、磁石類を配し影響しうる範囲内にて磁力線を照射し、酸素原子を構成要素とする塩素分子種の殺菌効力を助成すると共にスケール付着防止能力を示す常時及び緊急時両用飲料水供給システムにある。  更に殺菌効果を強化するために、前記の磁力線処理に加え同時に二酸化チタンを含む触媒効材を水槽内などに配して紫外線励起し、酸素原子を構成要素とする塩素分子種の殺菌効力を助成する。【選択図】        図１
2005313137.tif 000002
【特許請求の範囲】
【請求項１】
少なくとも一種の経路より供給された飲料原水を、直接或いは貯留槽を介し単独に飲料水とするか、或いはこれに合水可能な飲用上水を配する系に於いて、原水調達時、原水貯留槽或いは処理水槽の貯留水、或いはこれらより派生する水域水に、磁石類を配し影響しうる範囲内にて磁力線を照射し、酸素原子を構成要素とする塩素分子種の殺菌効力を助成すると共にスケール付着防止能力を示すことを特徴とする常時及び緊急時両用飲料水供給システム。
【請求項２】
少なくとも一種の経路より供給された飲料原水を、直接或いは貯留槽を介し単独に飲料水とするか、或いはこれに合水可能な飲用上水を配する系に於いて、原水調達時、原水貯留槽或いは処理水槽の貯留水、或いはこれらより派生する水域水に、磁石類を配し影響しうる範囲内にて磁力線を照射すると同時に、二酸化チタンを含む触媒効材を配して紫外線励起し、酸素原子を構成要素とする塩素分子種の殺菌効力を助成すると共にスケール付着防止能力を示すことことを特徴とする請求項１記載の常時及び緊急時両用飲料水供給システム。
【請求項３】
前記原水調達時として、地下水の揚水時にポンプの吐出側に磁石類を設置することを特徴とする請求項１ないし２記載の常時及び緊急両用飲料水供給システム。
【請求項４】
前記原水貯留槽或いは処理水槽の貯留水を循環するに際し、移動水に磁石類を配し影響しうる範囲内にて磁力線を照射することを特徴とする請求項１ないし３記載の常時及び緊急両用飲料水供給システム。
【請求項５】
前記酸素原子を構成要素とする塩素分子種として、塩素ガスまたは次亜塩素酸ソーダを採用することを特徴とする請求項１ないし４記載の常時及び緊急両用飲料水供給システム。
【発明の詳細な説明】
【技術分野】
【０００１】  本発明は、常時或いは緊急時のいずれに於いても有効に活用しうる飲料水供給システムに関する。
例えば、災害時の配水管の破断による断水状態などトラブル回避を想定のもと、住民生活のライフラインを緊急時確保するに際し、自己水源の水質管理に基づく二元給水体制を常時有効に保持し活用するものである。
【背景技術】
【０００２】  従来、防火用水など緊急時にのみ活用する施設などでは、貯水中の用水は元より飲料水としての水質維持などに重点は置かれて居らず、通常死に水状態で存在し、これを安全な飲料水用原水として供給するには水質の浄化が難関である。
このような対策として、大量の防火用水を貯留することを義務つけられた大型の共同住宅などの貯留遊水を、常に新鮮な飲料水対象の原水として、その水質を常時維持する発明が報告されている。（例えば、特許文献１参照）
また、雨水などを貯留槽などに貯留し汚れ成分などを除去処理し緊急時などに生活用水とする報告（特許文献２参照）、飲料水と防火用水などの兼用タンクとした例（特許文献３参照）その他が紹介されている。【０００３】  以上に報じられている発明では、いずれも非日常的な災害時に発生する予期し得ない事象によって、飲料水としての水質が確保出来ない事態に陥る可能性が考えられる。例えば、地震による貯留槽の破壊、水槽を構成する躯体の損傷、或いはこれら影響下での汚水混入による水質破壊などである。
また、一般的に災害時用の備蓄貯留水とても尚十分な容量が加味されているわけでも無く、不足がちな点から十分な配慮が必要で、出来るだけの代替補完施設の活用が望まれて居り、更に停電などの事態に遭遇し機能出来ないなど、時に対応できない場合も想定される。【０００４】
【特許文献１】        特開２００４−４４３５１号公報
【特許文献２】        特開平７−１３２２９９号号公報
【特許文献３】        特開平９−３０５９４号公報
【０００５】  行政当局に置かれては、災害時の対策として飲料水の確保や防火用水の配置面からの検討がなされ、逐次その措置が講じたれているところである。
一方、民間に於いても自己水源確保による災害時の給水対策を急務として展開しつつ、所謂、地下水の高度処理などに基づく飲料水化と水質保持を目指している。
特に、病院などには院内患者のみならず被災民の救護及び保護を含め、生活に欠かせないライフラインとしての給水確保が達成出来る様にとの要望が強い。
【発明の開示】
【発明が解決しようとする課題】
【０００６】  この様な観点に立ち、災害用給水対策を民間に於いても実行可能な如く対応することにより、官民一体としてライフラインの確保強化が望ましいと考えられる。
尚、災害時などに備えた身近な水源の整備と用水供給システムの確保、自然と社会情勢の変化に対応した地下水利用の適正化を求められている。
この様な目的を完遂する為に、常時活用し緊急時にも即時転用可能な給水態勢の実現を目指し、本発明者等は従来では行われていない未利用水の活用を考慮することにより達成出来た。
その結果、水質汚濁負荷の軽減を目的とする発生源対策、森林、農地水域に於ける浄化機能の保持に繋がる地下水の水質保全方策に役立つ事が判明した。
【課題を解決するための手段】
【０００７】  以上の状況下、水との関わりを深めるための地域造り、住民参加による意識革命或いは地域住民ぐるみの取り組みを通じ、行政機関とも相俟った連携を深める行動を進めて行った結果、本発明の形成に発展した。【０００８】  即ち、本発明の要旨とするところは、少なくとも一種の経路より供給された飲料原水を、直接或いは貯留槽を介し単独に飲料水とするか、或いはこれに合水可能な飲用上水を配する系に於いて、原水調達時、原水貯留槽或いは処理水槽の貯留水、或いはこれらより派生する水域水に、磁石類を配し影響しうる範囲内にて磁力線を照射し、酸素原子を構成要素とする塩素分子種の殺菌効力を助成すると共にスケール付着防止能力を示すことを特徴とする常時及び緊急時両用飲料水供給システムにある。【０００９】  更に殺菌効果を強化するために、前記の磁力線処理に加え同時に二酸化チタンを含む触媒効材を水槽内などに配して紫外線励起し、酸素原子を構成要素とする塩素分子種の殺菌効力を助成する常時及び緊急時両用飲料水供給システムである。
ここで、原水調達時とは地下水の揚水時など、ポンプの吐出側に磁石類を設置して磁力線を照射することにより、水質の改善と細菌の繁殖を防止出来る。
また、原水貯留槽或いは処理水槽の貯留水を循環するに際し、移動水に磁力線を照射する目的で、磁石類を配し常時磁場効果を与えることが可能なごとく設営する。この手段単独では完全な殺菌効果は果たせないものの助成効果を示し、更に管体内部壁へのスケール付着防止能力を示す。【００１０】  本発明では、更に殺菌効果を強化する方法として紫外線及び触媒効果を有する二酸化チタン触媒を使用して殺菌効果を強化する事が出来る。
飲料水とするために、殺菌は欠かせない重要な要素であり、平常時では殺菌剤の添加など十分な対応が容易に為しえても、緊急時には電力が供給されない状態の出現も容易に想到でき何らかの抜本対応が必要となる。
この為に、本発明では商用電力が停止しても使用可能な自家発電、電力が得られない場合にも有効なソーラー発電による電力並びに備蓄電力による食塩水の電気分解に基ずく次亜塩素酸の供給、或いは紫外線照射による殺菌手段などを併せ備えるものである。【００１１】  本発明で、酸素原子を構成要素とする塩素分子種とは、水中に於いて次亜塩素酸、二酸化塩素或いは塩素酸など殺菌効果を有する反応基を発生する類のもので、例えば塩素ガス、液体の次亜塩素酸ナトリウム、固形の次亜塩素酸カルシウムなどを指称するものである。
本発明で、二酸化チタンを含む光触媒機能を付与する為の触媒効材を配するには、公知の手段を活用出来る。例えば、構成躯体部材上に二酸化チタンの紛体を含む塗膜としたのち高温にて焼付けるか、部材の表面処理を行いここに酸化チタン分散液を含浸させた後に熱定着させる方法などが採用できる。【００１２】  光触媒である酸化チタン類の励起エネルギー源として、日光或いは紫外線ランプなど紫外線の照射源であれば良いが、安易な方法として例えば紫外線の照射により容易に取り入れる事が出来る点で有用な手段である。
ここで紫外線源として、各種の方法が採用出来る。主として紫外線殺菌ランプを採用するケースが多く、弱光線源として蛍光灯類を活用する事が出来る。
一方、自然の紫外線をプラスチックファイバーやグラスファイバーなど紫外線透過率に優れる素材で構成された導光キャリヤーを選択するか、ミラーなどの光反射手法を活用して導光する事が出来る。これらの技術は、一般的に建築分野などでは集光技術として活用されている。
集光技術を駆使すれば、太陽の軌跡を自動追跡しながら一定時間は常に集光可能で、且つ必要に応じ集光器内のフィルターの機能を介し赤外線をカットして余分な熱を排除することも可能で有る。【００１３】  本発明で、原水調達時、原水貯留槽或いは処理水槽の貯留水、或いはこれらより派生する水域水に、磁石類を配し影響しうる範囲内にて磁力線を照射するには、公知の手段を活用する。
例えば、多数の永久磁石を多層配列してなる水路にこれらの用水を通水し、多極磁界中を移動させることにより、Ｎ極とＳ極の間に生じた磁場間を水が直交方向に移動すると各水分子の双極子モーメントにより振動エネルギーが生じ、更に電気エネルギーに変化する。このようなエネルギーにて水分子に物理的な振動が発生し、スケールの分解や水中での塩素分子種の殺菌作用を助成できる。
原水の調達時など、水中ポンプなどにて地下水の汲み上げ時に強力な磁場を構築すれば配管中のスケールの付着を防止出来る上、更なる効果として移動する水流にも及び水の分子に作用して水分子のクラスターを小さく出来る。
貯留水をポンプにより循環するに際し、水流に強力な磁場を照射する事により上記と同様に水分子に振動を与え水分子の構造に変化を与える事が出来る。【００１４】  本発明で使用する磁石類は、公知の永久磁石或いは電磁石の何れでも対象と出来る。一般的には永久磁石が採用し易く、例えばフェライト磁石を使用する。
このとき、そのままでも使用可能であるが好ましくは他の非磁性体と一体化した形態にて使用する。
水中或いは高湿度環境にて使用するので、防錆上からもセラミック・フェライト磁石、ステンレス薄板にて密閉包装した形態或いは合金系の各種磁石を使用する。磁石の磁場強度としては、少なくとも１５００ガウス程度が必要で有るが、出来れば５０００ガウス以上が好ましい。【００１５】  本発明の特徴として、常時運転している飲料水供給設備を緊急時にも即時転用可能な給水態勢として活用出来る点に有り、ランニング中の貯水は緊急時を想定して飲料水レベルの水質維持に対応可能で有る。
更に、他の特徴として本発明ではランニング中の水に強力な磁場、或いは酸化触媒を伴う紫外線を照射付与することにより、水質に基本的な変動を与え機能変化を起こす事により、スケール防止効果と殺菌効果を助成出来る。
従来では、緊急時の貯水に対応する官設の緊急設備が整えられているものの、水量にも水質維持にも限度があり、これを補完する為にも本件発明にかかる常時及び緊急時両用飲料水供給システムは民間設備として有用な使命を果たすものである。
【発明の効果】
【００１６】  以上に詳説した通り、本発明では緊急時の貯水としても対応出来る施設であって、且つ常時に於いても通常運転を継続している施設であり、災害時などに備えた身近な自己水源を活用する即応可能な用水供給システムである。
ランニング中の飲料水である上、常時流水には強力な磁場、或いは酸化触媒を伴う紫外線を照射付与することにより、水質に基本的な変動を与え機能変化を起こして、管体内部のスケール防止効果と殺菌効果を助成しながら緊急時に於いても十分な水質維持に対応可能なごとく、その水質を飲料水レベルに維持して居る。
この結果、災害用給水対策が民間レベルに於いても実行可能となり、官民一体としてのライフライン確保強化に多大の貢献を為し得るものと確信する。
この様に本発明は、その工業的効果は著大である。
【発明を実施するための最良の形態】
【００１７】  以下、本発明の実施の形態を図１に基づいて具体的に説明する。【００１８】  図１は、本発明の実施例を示すもので、本件発明に係る飲料水供給システムの全体模式図を表している。
図１では、井戸（Ａ）より地下水を井戸揚水ポンプ（Ｐ１）を介し汲み上げるに際し、フェライト磁石をステンレス鋼薄板にて包んで積層配列し約８０００ガウス相当の磁場水流域を形成しうる磁力線照射器（ａ）を通過せしめ井水管（▲１▼）を通じて原水槽（Ｂ）（沈殿機能付き：以下同義）に導水出来る。
原水槽（Ｂ）内には、水面上に位置し且つ井水管（▲１▼）より落下する流入水にて回転する如く配置した二酸化チタンコーテイング羽根車（ｂ）と屋外より太陽光線を導入する集光器（ｄ）を介し光線キャリアー（▲５▼）を通じて原水槽（Ｂ）内に太陽光線が導光されている。この光線は紫外線として、紫外線出射端（ｃ）を介して二酸化チタンコーテイング羽根車（ｂ）に照射される。【００１９】  原水槽（Ｂ）より原水ポンプ（Ｐ２）を介し原水送水管（▲２▼）を通じて、砂濾過器（Ｃ）に濾過されたのち膜濾過装置（Ｄ）にて精密濾過処理を行い、処理水管（▲３▼）を経て処理水槽（Ｅ）に移送される。
処理水槽（Ｅ）内部には、原水槽（Ｂ）内と同様に水面上に位置し且つ配管（▲３▼）より落下する流入水にて回転する如く配置した二酸化チタンコーテイング羽根車（ｂ）と屋外より太陽光線を導入する集光器（ｄ）を介し光線キャリアー（▲５▼）を通じて処理水槽（Ｅ）内に太陽光線が導光されている。この光線は紫外線として、紫外線出射端（ｃ）を介して二酸化チタンコーテイング羽根車（ｂ）に照射される。【００２０】  処理水槽（Ｅ）より処理水ポンプ（Ｐ３）を介し給水供給管（▲４▼）を通じ飲料水として配水される。また、処理水循環ポンプ（Ｐ４）を稼動させ、途中フェライト磁石をステンレス鋼薄板にて包んで積層配列し、約８０００ガウス相当の磁場水流域を形成しうる磁力線照射器（ａ）を循環管に配し処理水槽（Ｅ）に循環出来る。
原水槽（Ｂ）と処理水槽（Ｅ）には、薬品槽（Ｆ）より供給される次亜塩素酸ソーダ水溶液（１２％）を薬品注入管（▲６▼）を通じて夫々供給出来る。
以下、上記の構成で本発明の効果を実施例により説明する。
【実施例１】
【００２１】  水源である井戸（Ａ）として１２０ｍを掘削し、段階揚水試験、連続揚水試験、回復試験を通して水量を確認、その後原水の指定の水質分析として水道法の水質基準の試験項目として定める、消毒による副生成物を除く４０項目の試験結果に基づき、処理プラントの形式、処理能力（８トン／Ｈ）を決定した。
水質の一項目として、硬度が１４８ｍｇ／ｌとなり通常の上水のそれと比較し硬度５０ｍｇ／ｌよりも相当に高く配管等へのスケール付着が懸念された。【００２２】  地下水を井戸揚水ポンプ（Ｐ１）として、１２０リットル／分Ｘ２．２ｋｗ×６８ｍ、所定の水量１１０リットル／分を揚水し、井水管（▲１▼）２５ｍｍを経て原水槽（Ｂ）１ｍ３に貯水する。
その際、井水管（▲１▼）２５ｍｍに原水の硬度によるスケールの形成付着防止を考慮し、井水管の途中にスパイラル効果を持ち磁場強度で約１２０００ガウスを実効し得る磁力線照射器（ａ）を配置し、該照射器内に原水を通過させて磁場効果により除錆・防錆を発揮させた。又、地下水中の雑菌に対し井水管（▲１▼）を通過中に強力な磁場にて第１次殺菌を行った上で原水槽へ導入した。【００２３】  原水槽（Ｂ）において、薬品槽（Ｆ）として３００リットルに１２％の次亜塩素酸ソーダ水溶液を貯留し、通常時は薬品注入管（▲６▼）１２ｍｍを経て注入されその後の処理経過を進行させ機能的に作動する。
災害時など、次亜塩素酸ソーダが枯渇した場合に備え、殺菌効果が減衰する事を防止する手段として、本発明では二酸化チタン膜をコーテイングして触媒効果を持たせた羽根車（ｂ）を水面と空気の接触面位置に配し井水管（▲１▼）よりの水流にて回転させ、別途屋外より導光した紫外線を照射し殺菌効果、脱臭効果を付加し、次亜塩素酸ソーダの代替機能の一翼を担う事に成功した。
特に深井戸から取水した地下水は、酸素の含有量が少なく硫化水素を含み異臭を放出するので、羽根車（ｂ）にコーテイングされた触媒効材と紫外線により分解脱臭する事が出来た。【００２４】  又、原水槽の役割として膜ろ過装置を安定的に作動させるため、原水（地下水）に混入されている一般細菌をはじめとし、硬度（カルシウム・マグネシウム等）の縮減を目的としている。当初原水の硬度が１４８ｍｇ／リットルであったが原水槽での硬度を８８．４ｍｇ／リットルに低減する事が出来、磁力線照射の効果を確認出来た。しかし、水道水並の硬度を目標とするためには、処理水槽にて達成すべく本願システムを必要とした。【００２５】  光触媒による殺菌、次亜塩素酸ソーダの助成としての羽根車にコーティングされた酸化チタンに太陽光からの紫外線照射効能により、活性酸素への酸化分解の高確率を利用した。又、羽根車にて水面を攪拌する事により、空気との接触を助長させ、脱臭・殺菌効果を高める処置を施した。一般細菌は大気中にも含まれているため、次亜塩素酸ソーダが枯渇した場合でも光触媒による効果を安全策とし、０．１ｍｇ／リットル以上の次亜塩素酸ソーダと同等の実効々力を発揮した。
尚、触媒効材は円盤型の水翼付きの羽車形式で、流水にて回転出来る為に効率良い効果が発揮出来、水面の攪拌効果はトリクロロエチレン等の一般有機化学物質を空気中に蒸散させる機能を示す。【００２６】  紫外線照射は、水面に設置されているコーテイングされた触媒効材を有する羽根車（ｂ）に作用し、紫外線ランプ無しに太陽光を活用する事とした。
この為に、市販されている集光機システムを採用し、受光面積４２５平方センチメートルの集光器にて太陽光を効率良く採集した後、光線キャリアー（▲５▼）を介し紫外線出射端（ｃ）へ導光し、約８２００ＬＸの１／２に相当する勢力を原水槽内に照射させた。
触媒効材は、紫外線励起により強い酸化力を惹起し殺菌効果を発揮出来た。一方、屋外設置にかかる集光機は常に最大効率の太陽光を集束し、安定した採光技術を駆使して一部機能を改造し赤外線をカット、紫外線のみの照射とした。
光線キャリアーとして、紫外線のみ伝送させるため高純度の石英ガラスファイバーを採用し出射端から紫外線を放出させた。【００２７】  濾過器（Ｃ）の目的として、地下水に含まれている鉄・マンガンなどいわゆる金気を除去し、膜ろ過装置の負荷を軽減させる機能を有している。容量については、空間速度（ＳＶ）を１０とし、線速度（ＬＶ）を１２ｍ／時とした。
原水ポンプ（Ｐ２）として、８．０トン／分×２５ｍ×１．５ｋｗにより圧送
2005313137.tif 000003
ン効果を発揮させ、膜濾過装置（Ｄ）８トン／Ｈにて菌類を除去し、処理水管（▲３▼）３２ｍｍを経て、処理水槽（Ｅ）３ｍ３へ移送した。
処理水槽が建築基準法上受水槽扱いになるため、最終的な飲料水としての完璧なる水質管理を要求され、災害時に滞りなく飲料水として活用出来ることを確認した。【００２８】  処理水槽は、地下水の高度処理を行い、最終的に飲料水としての水質が確保された貯水槽であり、引き続き水質維持が追求される。従って、硬度も一般の水道水並に調整する必要が有り、本件発明にかかる機能処理により通水処理をした結果、最終的には硬度４．２ｍｇ／リットルとする事が出来た。
また、地下水の水質によっては配管々体内部へのスケールの付着、構成機器類など製缶類での赤錆発生、熱交換器の熱効率の低下など、通常では発生する水質硬度による弊害を防止する事が出来た。
処理水槽（Ｅ）における水質確保システムとして、前記磁力線照射器（ａ）、羽根車（ｂ）、紫外線出射端（ｃ）の併用にて平時と災害時の何れに於いても同等の水質確保を達成できた。【００２９】  処理水槽（Ｅ）は、本来次亜塩素酸ソーダの注入を通して、残塩濃度の安定を確保するもので、処理水槽内の処理水を処理水循環ポンプ（Ｐ４）５０リットル／分×５ｍ×０．１７ｋｗは常時攪拌状態にある。
この処理水循環ポンプ（Ｐ４）の配管系に磁力線照射器（ａ）を設置し、次亜塩素酸ソーダの殺菌効果を強化したところ第２次殺菌の現象を確認できた。
また、上記処理水循環ポンプ（Ｐ４）は２４時間連続運転とし、残塩濃度の監視を通じ水質安定を達成した。次いで、二酸化チタンによる光触媒効果を得る為に、前記原水槽にて採用したと同様の方式にて災害時の次亜塩素酸ソーダを補足する構造とした。
尚、紫外線照射能力は、原水槽と同様に８２００ＬＸの１／２の線量とした。
又、水道法に準拠して水質を処理水槽にて精製貯水し、処理水ポンプ（Ｐ３）８．０ｍ３×２２ｍ×１．５ｋｗにて主受水槽へ供給した。
【産業上の利用可能性】
【００３０】  本願発明の一つの特徴として、配管内のスケール・製缶類の赤錆・熱効率の低下等硬度による弊害を除く事により、建築設備の用水として有効に活用出来る事が達成された。
即ち、地下水は大規模な貯水・取水・給水施設を要しない点、コスト、環境の両面において優れた特性を有する水資源である点から、水資源として持続的であり、通常では適正な利用を全うしつつ且つ災害時にはライフラインとして緊急給水に対応できる。
本発明の更なる特徴は、自己水源としての地下水利用を基盤とする点にあり、災害時特に地震災害には被害の被る確立が低く、極めて安定した水量を確保する事が出来る。
又、地下水は、気候変動に伴なう水量の変化が少なく、大渇水時における安定性も高く、面的に賦存し線的な揚水系統と異なり、全体が分断されにくく揚水場所も変更可能であることから、災害時を含め緊急的な水源として有効である事を確認出来た。【００３１】  災害時には非常用電源があれば、プラント本体の稼動によりライフライン確保が可能となる。又、非常電源がない場合でも商用電源の復旧には通常３〜４日にて復旧するため、プラントさえ稼動可能ならばライフラインとしての機能を維持する事が出来る。
非日常的な現象を災害として捉え、通常の運転稼動と異なる状況の中でも磁力と太陽光による殺菌装置は自然エネルギーを活用する安定した方策で、水質確保に対する画期的な対策と確信出来る。この様な方式には、自己水源による給水供給方式が活用し易く、官設の上水の断水による復旧が３ヶ月程度要する見通しからライフラインの有効な確保に繋がるものである。
【図面の簡単な説明】
【００３２】
【図１】図１は、本発明の実施例を示すもので、本件発明に係る飲料水供給システムの全体模式図を表している。
【符号の説明】
【００３３】Ａ      井戸
Ｂ      原水槽
Ｃ      砂濾過器
Ｄ      膜濾過過装置
Ｅ      処理水槽
Ｆ      薬品槽
Ｐ１    井戸揚水ポンプ
Ｐ２    原水ポンプ
Ｐ３    処理水ポンプ
Ｐ４    処理水循環ポンプ
ａ      磁力線照射器
ｂ      羽根車
ｃ      紫外線出射端
ｄ      集光器
▲１▼  井水管
▲２▼  原水送水管
▲３▼  処理水管
▲４▼  給水供給管
▲５▼  光線キャリアー
▲６▼  薬品注入管
【図１】
2005313137.tif 000004